(57)【要約】【課題】外壁に設けた開口部の構造であって、長期間にわたって充分に信頼し得る水密性を発揮させる。【解決手段】開口部構造は、サッシ２のフランジ２ｃを取り付ける取付面１ａと、外壁３との取合面１ｂとを有し且つ全周が一体的に形成された枠体１を有しており、枠体１の取合面１ｂと外壁３との間にシーリング材４による防水処理を施すと共に、枠体１の取付面１ａにサッシ２のフランジ２ｃを固定具７により取り付ける。【選択図】　　　　　　　図１
2004132104.tif 000002
【特許請求の範囲】
【請求項１】
住宅の外壁に於ける開口部の構造であって、サッシを着脱可能に取り付ける取付面と外壁との取合面とを有し且つ全周が一体的に形成された枠体を有し、該枠体の取合面と外壁との間に防水処理を施すと共に、枠体の取付面にサッシを取り付けたことを特徴とする開口部構造。
【発明の詳細な説明】
【０００１】
【発明の属する技術分野】
本発明は、住宅の外壁にサッシを用いて構成する開口部の構造に関し、特に、長寿命化を実現する開口部構造に関するものである。
【０００２】
【従来の技術】
外壁にコンクリートパネル（ＰＣパネル）や軽量気泡コンクリートパネル（ＡＬＣパネル）を用いた住宅では、外壁に開口部を構成する場合、ビル用に提供されているアルミサッシ（ビル用サッシ）を利用するのが一般的である。特に、そのまま仕上面を構成する外壁の小口面とビル用サッシとによって開口部を構成する場合、両者の間に直接非定形シールを施工することで仕上げることが出来る。しかし、このビル用サッシは、木造住宅用に提供されているアルミサッシ（住宅用サッシ）と比較すると高断熱仕様がない等商品の種類が少ないという問題や、ビル用サッシと住宅用サッシでは住宅に対する取付方式や、寸法設定上の基準が異なり、住宅用サッシをそのままの形状で前記住宅に利用することが出来ないという問題がある。
【０００３】
即ち、木造住宅用サッシでは幅寸法は木造の柱の内法寸法を基準として設定され、柱に直接固定される。これに対し、外壁にＰＣパネルやＡＬＣパネルを用いた住宅では、木造住宅用サッシの固定や防水処理が困難なためビル用サッシを使用している。
【０００４】
このため、木造住宅用サッシを外壁にＰＣパネルやＡＬＣパネルを用いた住宅に適用するための提案がなされている。その中の１つとして、サッシと、該サッシを支持すると共に鉄骨躯体を構成する梁に固定するフレームからなる開口部パネルを設け、サッシ枠の外周部の外側の四方に補助枠を設置してフレーム及びサッシ枠に固定、締結することによって、市中で流通しているサッシを利用し得るように構成した技術がある（例えば、非特許文献１）。
【０００５】
上記技術では、鋼材からなるフレームを梁に固定すると共に該フレームに支持用鋼材を溶接し、この支持鋼材にサッシの外周部の外側に設置した補助枠を固定している。従って、サッシ枠と該サッシ枠の外周部の外側に設置した補助枠とが新たなサッシ枠として機能し、この補助枠をフレームに固定することで、サッシ枠を外側から押さえ込むようにして固定している。即ち、補助枠の機能は、サッシ枠の補助として該サッシ枠に一体化されてフレームに固定するものであり、サッシ枠の外側に設置されることから見付けとしての機能をも有する。従って、補助枠を残したままサッシを取り外すことや、サッシ及び補助枠を後で取り外すことは想定していない。
【０００６】
上記補助枠は、アルミニウムを材料としサッシ枠の仕様に準じた仕様を持って構成されており、サッシ枠と補助枠との接合面は定形及び非定形のシール材で止水処理されている。また補助枠と外壁との間を止水処理する場合、外壁を構成する部材がＡＬＣパネルであると小口面に微細な凹凸が形成されるため非定形のシール材で止水処理されるのが一般的である。
【０００７】
【非特許文献１】発明協会公開技報公技番号９９−４２３９号
【０００８】
【発明が解決しようとする課題】
鉄骨躯体にコンクリート系の外壁パネルを取り付けて構成した住宅で長寿命化を実現しようとする場合、アルミサッシを用いて構成した開口部では、アルミサッシが住宅本体の寿命と同程度の寿命を実現し得ない虞がある。即ち、アルミサッシは、縦桟と横桟が溶接等により一体化されることはなく、止水処理は、縦桟と横桟との当接面にシール材を配置して両者を締めつけることで行われる。しかし、素材特性としてシール材は鉄骨躯体やコンクリート系の外壁パネルよりも耐久性が短い傾向がある。
【０００９】
アルミニウムを材料として構成した補助枠も、基本的にアルミサッシと同様の仕様に基づいて製作されているため、縦枠材と横枠材との間に配置されたシール材の耐久性が問題となる虞がある。縦枠材と横枠材との間のシール材が劣化すると、外壁内部へ水が浸透する虞が生じる。
【００１０】
このため、上記住宅では、補助枠がサッシ枠を覆っているため、アルミサッシ，補助枠を共に適度な時期（少なくともシール材が耐久年限に達したとき）に交換することが必要になる。更に、サッシが何らかの理由で壊れたとき、断熱性能を含む諸性能が改善された新しいサッシが一般化してきたとき、リフォーム時に開閉形式やデザイン，色を変更したいとき、等の場合にも交換が必要になる。
【００１１】
補助枠に対してアルミサッシを交換するには外壁から補助枠を取り外してからでなければならず、また外壁に対して補助枠を交換する場合該補助枠が外壁パネルとの間に非定形シール材を施工して止水処理されているため、どちらの作業も非常に手間がかかるという問題がある。
【００１２】
本発明の目的は、外壁に於ける開口部であって長期間にわたって充分に信頼し得る水密性を発揮することが出来る開口部構造を提供することにある。
【００１３】
【課題を解決するための手段】
上記課題を解決するために本発明に係る開口部構造は、住宅の外壁に於ける開口部の構造であって、サッシを着脱可能に取り付ける取付面と外壁との取合面とを有し且つ全周が一体的に形成された枠体を有し、該枠体の取合面と外壁との間に防水処理を施すと共に、枠体の取付面にサッシを取り付けたものである。
【００１４】
上記開口部構造では、枠体が全周が一体的に形成されているため、該枠体を構成する部材の接続部位にシール材を配置して水密処理を行う必要がない。このため、枠体自体が長期間にわたって高い水密性を発揮することが出来る。
【００１５】
また枠体が取付面と取合面とを有するため、取付面を利用して木造住宅用サッシ等のサッシを取り付けることが出来、取合面を介して外壁との間に防水処理して水密処理を行うことが出来る。特に、枠体が長期間にわたって高い信頼性を持った水密性を発揮し得るため交換の必要がなく、良好な水密性能を維持することが出来る。
【００１６】
特に、枠体に設けた取付面にサッシを着脱可能に取り付けることが出来る。このため、枠体の外壁に対する取付状態を維持してサッシのみを交換することが出来る。従って、経時的にメンテナンスを実行することで住宅の長寿命化を容易に実現することが出来る。
【００１７】
【発明の実施の形態】
以下本発明に係る開口部構造の好ましい実施形態について説明する。本発明に係る開口部構造は、長寿命化を実現した住宅の外壁に、長期間にわたり高い信頼性を発揮し得る水密性を持った開口部を構成するための構造であり、全周が一体化した枠体を用いることで枠体自体の水密性を確保し、且つ枠体の取合面と外壁との間に防水処理を施すことで両者の間の水密性を確保し得るようにしたものである。更に、枠体の取付面を利用して汎用品として提供されている木造住宅用サッシを取り付けることを実現し、これにより、住宅の意匠に応じて、開閉形式，色，デザイン，断熱性能のグレード等の品種が豊富な木造住宅用サッシ（以下、単に「サッシ」という）を選択して使用し得るようにしたものである。
【００１８】
枠体は取り付けるべきサッシの外周に配置されて取付面に該サッシを取り付けるものであり、全周が一体化されることによって充分に信頼性を持った水密性を有している。
【００１９】
このため、枠体の形状はサッシの外形に応じて決定されるものであり、一義的に設定されるものではない。即ち、サッシの外形が四角形であれば枠体も四角形であり、サッシが他の形状、例えば三角形，五角形であれば、夫々の形状に応じて三角形，五角形に設定される。
【００２０】
また枠体は、該枠体を構成する部材を互いに一体的に接続することで接続部位に対して寿命を保証することが困難な部材（例えばシール材）の配置を排除し、これにより、長期間にわたる水密性を実現して長寿命化をはかるものである。
【００２１】
上記の如く、枠体は、該枠体を構成する部材がサッシを取り付けたときに作用する荷重，力に対し充分な強度を有すること、及び材料自体が長寿命化を満足するものであることが必要である。このような材料として、ステンレス鋼材，一般鋼材或いはアルミニウム等を含む金属材、ＦＲＰを含む合成樹脂材等があり、これらを選択的に利用することが可能である。
【００２２】
枠体の一体化をはかる手段は特に限定するものではなく、該枠体を構成する部材の当接部位が充分に信頼性を持った水密性を発揮し得るような手段であれば良い。即ち、枠体を構成する部材の当接部位にピンホールを含む間隙を形成することなく一体化することが可能で、且つ一体化していることが長期間にわたって保証し得る手段であれば良い。
【００２３】
このため、枠体をステンレス鋼を含む鋼材或いはアルミニウムによって構成する場合、一体化をはかる手段として溶接であることが好ましく、或いは接着であっても良い。また枠体を合成樹脂材によって構成する場合、一体化をはかる手段として溶着或いは接着であることが好ましい。何れにしても、本発明では、枠体を構成する際に、部材の当接部にはシール材のような部材を用いることなく、一体化によって水密性を確保することで、長期間にわたる確実な水密性を実現している。
【００２４】
枠体はサッシを取り付ける取付面を有しており、該取付面は取り付けるべきサッシの形状や寸法に応じた寸法と形状を有することが好ましい。本発明に於いて、枠体に取り付けるサッシは限定するものではなく、一般の木造住宅用サッシ等を取り付けることが可能である。特に、意匠性や断熱性を考慮した場合、木造住宅用サッシは提供されている品種が豊富であり、目的の意匠、必要な断熱性に最適なものを選択し得るため好ましい。
【００２５】
また枠体は外壁との取合面を有し、該取合面を介して外壁との間に防水処理が施される。防水処理としては特に方式や仕様を限定するものではなく、住宅に設定された寿命に応じた寿命を有することが必要である。このような防水処理としては、定形シーリング材を利用した防水処理、或いは非定形シーリング剤を利用した防水処理があり、何れも好ましく利用することが可能である。
【００２６】
前述したようにサッシとしては、木造住宅用サッシを用いることが可能である。またサッシの構造は限定するものではなく、引き違い障子を有するサッシ、嵌め殺しサッシ、片開きサッシ等如何なる構造のサッシであっても用いることが可能であり、且つ形状も通常の外壁に用いられる四角形のサッシ、切妻屋根の小屋裏に対応する外壁に用いられる三角形或いは五角形のサッシ等如何なる形状のサッシであっても用いることが可能である。
【００２７】
外壁は住宅の長寿命を実現し得る材料を用いて構成されることが好ましく、このような外壁材として、軽量気泡コンクリートパネル（ＡＬＣパネル）がある。このＡＬＣパネルはそのままの状態で外壁パネルとして利用することが可能であり、或いは表面に塗装を施した外壁パネルとして、或いは表面にタイル等を貼り付けた外壁パネルとして、更に、表面に溝を形成したり意識的な模様を形成した外壁パネルとして利用することが好ましい。
【００２８】
以下、本発明に係る開口部構造の好ましい実施例について図を用いて説明する。図１は第１実施例に係る開口部構造を説明する図である。図２は第１実施例に係る開口部構造の展開図である。図３は枠体の構成を説明する図である。図４は第２実施例に化且つ開口部構造を説明する図である。図５は第３実施例に係る開口部構造を説明する図である。図６は第４実施例に係る開口部構造を説明する図である。図７は第５実施例に係る開口部構造を説明する図である。
【００２９】
先ず、図１〜図３により第１実施例に係る開口部構造について説明する。枠体１は、図３（ａ）に示すようにＬ字型の材料を用いて四角形の額縁状に形成されており、屋内側にサッシ２を取り付けるための取付面１ａが形成されると共に、側面側に外壁３との取合面１ｂが形成されている。
【００３０】
即ち、枠体１は断面がＬ字型の部材を用い、これらの部材を互いに端部で当接させると共に、該当接部位を溶接して四角形の額縁状に構成されている。従って、枠体１を構成する部材どうしの接続部は溶接により一体化し、これにより、接続部に於ける水密性を確保することが可能である。従って、枠体１を構成する部材どうしの接続部にはシール材が配置されることがなく、シール材の劣化に伴う耐久性の限界を考慮する必要がない長寿命の枠体とすることが可能である。
【００３１】
上記枠体１では屋内側にサッシ２を取り付けるための取付面１ａが配置されるため、取合面１ｂを構成するフランジの縁が屋外に露出する。このため、枠体１を構成する材料として鋼材を用いた場合には、メッキ或いは塗装による表面処理を施すことが必要となる。特に、前記表面処理は長期間にわたって劣化することのないものであることが好ましい。
【００３２】
枠体１の取付面１ａの内法寸法は、目的のサッシ２のサッシ枠２ａの寸法に対応した寸法を有しており、取付面１ａの幅はサッシ枠２ａに設けたフランジ２ｃが容易に入り込んで重ね合わせることが可能な寸法を有していれば良い。従って、サッシ２は枠体１に取り付けられたとき、サッシ枠２ａが取付面１ａに嵌まり込むように構成される。
【００３３】
枠体１は外壁３の間に配置されて設置されるため、該枠体１には雨水が直接作用する。このため、図３（ｂ）に示すように、枠体１の下端側を構成する部材の屋外側の縁を延長して水切部１ｃを形成しておくことが好ましい。このように、枠体１に水切部１ｃを形成しておくことによって、枠体１の下端側の外壁３に雨垂れすじの汚れ等をつきにくくすることが可能である。
【００３４】
枠体１は、枠体１の上下の外壁３を構成する外壁パネルを支持する開口用パネル（図示せず）を構成する部材に溶接等の手段で固定されれている。枠体１が鋼材によって構成されている場合、該枠体１は開口用パネルに溶接され、ステンレス鋼や合成樹脂等の鋼に対して直接溶接し得ない材料によって構成されている場合、開口用パネルに溶接された板状の支持部材にボルト等を利用して固定されている。
【００３５】
枠体１の取合面１ｂと外壁３の小口面３ａとの間にシーリング材４が施工されて防水処理が施されている。このシーリング材４としては定形シーリング材や非定形シーリング材を選択して用いることが可能である。本実施例では、シーリング材４として従来から一般的に用いられている非定形シーリング材を用いている。
【００３６】
枠体１の取付面１ａにサッシ２が取り付けられている。前述したようにサッシ２の構造については限定するものではない。本実施例では、市場に流通している木造住宅用のサッシ２を用いている。木造住宅用のサッシ２は、サッシ枠２ａと障子２ｂを有して構成されており、サッシ枠２ａの外周に取付用のフランジ２ｃが形成されている。そして、木造住宅に取り付ける際には、フランジ２ｃを利用して柱に取り付けることが可能なように構成されている。従って、本実施例では、サッシ２は、フランジ２ｃを枠体１の取付面１ａに当接させて枠体１に取り付けられる。
【００３７】
サッシ２を枠体１に取り付ける場合、枠体１の取付面１ａとサッシ２のフランジ２ｃとの間にはゴム或いは軟質合成樹脂からなるシール材５が配置されると共に、フランジ２ｃの屋外側の面には押縁６が配置され、これらを互いに重ね合わせた状態でビス等の固定具７によって取り付けられる。
【００３８】
上記開口部構造では、枠体１は図示しない開口用パネルに固定されると共に、ＡＬＣパネル等を利用して構成された外壁３の小口面３ａと枠体１の取合面１ｂとの間にシーリング材４が施工されて防水処理がなされている。このように、枠体１と外壁３との間に高い信頼性を持った水密性を実現することが可能であり、且つ枠体１が全周を一体化して構成されているため、全く浸水の虞のない水密性を実現することが可能である。
【００３９】
また枠体１の取付面１ａにサッシ２の外周部に形成したフランジ２ｃを固定具７によって固定することで、サッシ２は枠体１に対して着脱可能に取り付けられている。このため、枠体１とサッシ２の間に配置されたシール材５が劣化し、或いはサッシ２を構成する縦桟と横桟の接続部に配置されたシール材（図示せず）が劣化して劣化部位からの浸水の虞が生じたとき、サッシ２が何らかの理由で破損したとき、断熱性能等が改善されたサッシが一般化したとき、更に、リフォームの際に開閉形式やデザイン，色を変更したいとき、固定具７を操作することで、サッシ２を容易に枠体１から離脱させることが可能である。
【００４０】
従って、枠体１及び該枠体１と外壁３との取合部位で長寿命化を実現することが可能となり、且つ枠体１とサッシ２との接合部位に配置したシール材５、或いはサッシ２自体が劣化したとき、サッシ２を枠体１から取り外してこれらの劣化した部品を交換する作業を容易に行うことが可能である。
【００４１】
次に、第２実施例に係る開口部構造について図４により説明する。図に於いて前述の第１実施例と同一部分或いは同一の機能を有する部分には同一の符号を付して説明を省略する。
【００４２】
本実施例は、枠体１に取り付けたサッシ２に於けるサッシ枠２ａの外周部分に化粧枠１０を設けたものである。即ち、前述の第１実施例では、サッシ２のフランジ２ｃの屋外側の面に押縁６を配置して固定具７によって枠体１に固定することで、該押縁６によって外観上の意匠性を向上させていたが、本実施例では、押縁６の更に屋外側に化粧枠１０を配置すると共に該化粧枠１０をサッシ２のサッシ枠２ａに取り付けることで、サッシ２の量感を強調して意匠性を向上させることが可能である。
【００４３】
本実施例に於いて、化粧枠１０は表面の意匠や材料等を限定するものではないが、セメント系成形材等を用いると共に、サッシ２，外壁３の色彩に応じた色を有することが好ましい。
【００４４】
上記の如く構成された開口部構造では、枠体１とサッシ２のサッシ枠２ａとの間に大きな段差が生じることがなく、且つ化粧枠１０の質感及び量感により、第１実施例の開口部構造とは異なる外観性能を発揮することが可能である。
【００４５】
次に、第３実施例に係る開口部構造について図５により説明する。本実施例では、枠体１が取付面１ａを屋外側に配置して図示しない躯体に固定されており、この枠体１の取付面１ａにサッシ２のフランジ２ｃが固定具７によって取り付けられている。
【００４６】
このため、サッシ２は第１実施例に比較して屋外側に突出することとなり、第１，第２実施例と比較して周囲に圧倒的な質感と量感を発揮することが可能となる。また一般的なサッシ２を用いて出窓状に形成することが可能である。
【００４７】
次に、第４実施例に係る開口部構造について図６により説明する。本実施例では、先ずサッシ２のフランジ２ｃを枠体１の取付面１ａに接触させ、このフランジ２ｃの外側にシール材５を配置すると共に押縁７を配置し、この状態で固定具７によって、押縁６，シール材５，サッシ２を枠体１に固定している。
【００４８】
上記の如く、シール材５は必ずしも枠体１の取付面１ａとサッシ２のフランジ２ｃとの間に配置されるものではなく、フランジ２ｃと押縁６の間に配置された場合であっても、充分な止水効果を発揮することが可能である。
【００４９】
次に、第５実施例に係る開口部構造について図７により説明する。本実施例はサッシ２を枠体１の屋内側の面に取り付けたものであり、サッシ２を屋内側から着脱することによって、該サッシ２のフランジ２ｃが屋外側に露出することなく、美麗な外観を形成することが可能である。
【００５０】
図に示すように、枠体１の取付面１ａの屋内側の面にシール材５を介してサッシ２のフランジ２ｃを配置すると共に押縁６を配置し、固定具７を締結することで、サッシ２を枠体１に固定している。固定具７は、枠体１の取付面１ａの屋内側の面に溶接により直立したボルトと、該ボルトに螺合するナットとによって構成されている。
【００５１】
上記の如く、固定具７を構成するボルトをスタッド溶接して形成することで、取付面１ａの屋外側の面にボルトが覗くことがなく、すっきりした表面を構成することが可能となる。またサッシ２を屋内側から着脱することが可能となり、屋内のリフォームと合わせて施工することが容易となる。
【００５２】
【発明の効果】
以上詳細に説明したように本発明に係る開口部構造では、枠体は全周が一体的に形成されているため、枠体を構成する部材は互いに当接して溶接或いは接着によって一体化する。このため、各部材の接続部位をシール材による水密処理を行う必要がない。従って、耐久性が悪化する原因となるシール材を排除して長期間にわたり高い水密性を発揮することが出来る。
【００５３】
また枠体が取付面と取合面とを有するため、取付面を利用して木造住宅用サッシを取り付けることが出来、取合面を介して外壁との間に防水処理して水密処理を行うことが出来、良好な水密性能を維持することが出来る。
【００５４】
更に、枠体に取り付けたサッシのシール材或いはサッシを構成する縦桟と横桟の接続部に配置されたシール材が劣化して浸水の虞が生じたとき、サッシが何らかの理由で破損したとき、断熱性能等が改善されたサッシが一般化したとき、更に、リフォームの際に開閉形式やデザイン，色を変更したいとき、該サッシを枠体の取付面から離脱させることで取り外し、新たなサッシを取り付けることで、容易に交換することが出来る。このため、長寿命の住宅を実現することが出来る。
【図面の簡単な説明】
【図１】第１実施例に係る開口部構造を説明する図である。
【図２】第１実施例に係る開口部構造の展開図である。
【図３】枠体の構成を説明する図である。
【図４】第２実施例に化且つ開口部構造を説明する図である。
【図５】第３実施例に係る開口部構造を説明する図である。
【図６】第４実施例に係る開口部構造を説明する図である。
【図７】第５実施例に係る開口部構造を説明する図である。
【符号の説明】
１　　　　　　　　　　　枠体
１ａ　　　　　　　　　　取付面
１ｂ　　　　　　　　　　取合面
１ｃ　　　　　　　　　　水切部
２　　　　　　　　　　　サッシ
２ａ　　　　　　　　　　サッシ枠
２ｂ　　　　　　　　　　障子
２ｃ　　　　　　　　　　フランジ
３　　　　　　　　　　　外壁
４　　　　　　　　　　　シーリング材
５　　　　　　　　　　　シール材
６　　　　　　　　　　　押縁
７　　　　　　　　　　　固定具
１０　　　　　　　　　　　化粧枠
【図１】
2004132104.tif 000003
【図２】
2004132104.tif 000004
【図３】
2004132104.tif 000005
【図４】
2004132104.tif 000006
【図５】
2004132104.tif 000007
【図６】
2004132104.tif 000008
【図７】
2004132104.tif 000009